(57)【要約】【課題】  小型化を確保した上でトレイの引出ストロークを増加させる。【解決手段】  所定の位置に固定されたベースシャーシ６と、ベースシャーシに対して引出方向及び収納方向へ移動可能とされ引出位置から収納位置までの間で移動されるトレイ７と、ベースシャーシに取り付けられたガイド１１、１１と、ガイドに案内されるレール２２、２２と、トレイに配置されたトレイ移動用モーター２０と、トレイ移動用モーターの駆動力によって回転されるピニオンギヤ２１ａと、ベースシャーシに固定されピニオンギヤが噛合される主ラック１４と、主ラックに移動自在に支持されると共に主ラックに延長されピニオンギヤの噛合が可能な延長位置と主ラックに対して引き込まれピニオンギヤの噛合が行われない引込位置との間で移動する延長ラック１５とを設けた。【選択図】        図１１
2010020868.tif 000002
【特許請求の範囲】
【請求項１】
ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有するディスク駆動ユニットと、
所定の位置に固定されたベースシャーシと、
前記ベースシャーシに対して引き出される引出方向及び該引出方向の反対方向である収納方向へ移動可能とされ引出位置から収納位置までの間で移動されるトレイと、
前記ベースシャーシに取り付けられたガイドと、
前記トレイに設けられ該トレイの前記引出方向及び前記収納方向への移動時に前記ガイドに案内されるレールと、
前記トレイに配置されたトレイ移動用モーターと、
前記トレイ移動用モーターの駆動力によって回転されるピニオンギヤと、
前記ベースシャーシに固定され前記ピニオンギヤが噛合される主ラックと、
前記主ラックに移動自在に支持されると共に前記主ラックに延長され前記ピニオンギヤの噛合が可能な延長位置と前記主ラックに対して引き込まれ前記ピニオンギヤの噛合が行われない引込位置との間で移動する延長ラックとを備えた
ディスク駆動装置。
【請求項２】
前記延長ラックが前記主ラックの前記引出方向側の端部に回動自在に支持され、
前記ピニオンギヤの主ラックとの噛合が解除されたときに、前記トレイの引出方向への移動に伴って移動される前記ピニオンギヤによって前記延長ラックが前記引込位置から前記延長位置に回動されるようにした
請求項１に記載のディスク駆動装置。
【請求項３】
前記主ラックに前記延長ラックを前記延長位置に保持するストッパー部を設けた
請求項２に記載のディスク駆動装置。
【請求項４】
前記延長ラックを前記引出方向へ付勢する付勢バネを設け、
前記延長ラックが前記付勢バネによって付勢された状態で前記主ラックに前記トレイの移動方向と同じ方向へ移動自在に支持され、
前記トレイが前記収納位置から前記引出位置へ向けて移動されたときに前記延長ラックが前記付勢バネの付勢力によって前記引込位置から前記延長位置に移動されるようにした
請求項１に記載のディスク駆動装置。
【請求項５】
前記主ラックと前記延長ラックをそれぞれ略板状に形成し、
前記延長ラックと前記主ラックが厚み方向において重ねられるようにした
請求項４に記載のディスク駆動装置。
【請求項６】
ディスク状記録媒体に対して情報信号の記録若しくは再生又はこれらの双方を行うディスク駆動装置と、
前記ディスク駆動装置が配置された機器本体とを備え、
前記ディスク駆動装置は、
ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有するディスク駆動ユニットと、
所定の位置に固定されたベースシャーシと、
前記ベースシャーシに対して引き出される引出方向及び該引出方向の反対方向である収納方向へ移動可能とされ引出位置から収納位置までの間で移動されるト      レイと、
前記ベースシャーシに取り付けられたガイドと、
前記トレイに設けられ該トレイの前記引出方向及び前記収納方向への移動時に前記ガイドに案内されるレールと、
前記トレイに配置されたトレイ移動用モーターと、
前記トレイ移動用モーターの駆動力によって回転されるピニオンギヤと、
前記ベースシャーシに固定され前記ピニオンギヤが噛合される主ラックと、
前記主ラックに移動自在に支持されると共に前記主ラックに延長され前記ピニオンギヤの噛合が可能な延長位置と前記主ラックに対して引き込まれ前記ピニオンギヤの噛合が行われない引込位置との間で移動する延長ラックとを備えた
電子機器。
【発明の詳細な説明】
【技術分野】
【０００１】
本発明はディスク駆動装置及び電子機器についての技術分野に関する。詳しくは、トレイの引出動作時に前記主ラックに延長される延長ラックを設け小型化を確保した上でトレイの引出ストロークを増加させる技術分野に関する。
【背景技術】
【０００２】
ディスク状記録媒体に対して情報信号の記録若しくは再生又はこれらの双方を行うディスク駆動装置がある。
【０００３】
このようなディスク駆動装置には、ディスク状記録媒体がフロントパネルに形成されたディスク挿入口から挿入されてローディングされる所謂スロットインタイプと、トレイが引き出されてディスク状記録媒体を引き出されたトレイに装着し該トレイが収納されてローディングされる所謂トレイ引出タイプとがある。
【０００４】
トレイ引出タイプのディスク駆動装置には、トレイの引出及び収納がトレイ移動用モーターの駆動力によって行われるものがある（例えば、特許文献１参照）。
【０００５】
特許文献１に記載された従来のディスク駆動装置にあっては、トレイが移動自在に支持されたシャーシの一方の側部にトレイの引出方向に延びるラックが設けられ、トレイの奥側の端部（後端部）に取り付けられたトレイ移動用モーターの駆動力によって回転されるピニオンギヤがラックに噛合されている。
【０００６】
トレイの引出動作は、トレイ移動用モーターの駆動力によってピニオンギヤが回転され、該ピニオンギヤがラック上を転動されピニオンギヤの回転に伴ってトレイがシャーシに対して引出方向へ移動されることにより行われる。
【０００７】
また、トレイの収納動作は、トレイ移動用モーターの駆動力によってピニオンギヤが引出動作時とは反対方向へ回転され、該ピニオンギヤがラック上を転動されピニオンギヤの回転に伴ってトレイがシャーシに対して収納方向へ移動されることにより行われる。
【０００８】
【特許文献１】特開平６−６８５７１号公報
【発明の開示】
【発明が解決しようとする課題】
【０００９】
ところが、特許文献１に記載された従来のディスク駆動装置にあっては、シャーシの一方の側部に設けられたラック上をピニオンギヤが転動される範囲がトレイの移動ストローク（引出ストローク）になるため、ラックの前端部とピニオンギヤが存在するトレイの後端部とが左右方向において重なる位置までしかトレイがシャーシから引き出されない。従って、トレイの全体がシャーシの前方へ引き出されないため、トレイの十分な引出ストロークを確保することができないと言う問題がある。
【００１０】
トレイの十分な引出ストロークを確保することができないと、トレイ又はトレイに付随して引き出されるディスクテーブルに対するディスク状記録媒体の装着が行い難いと言う不具合が生じてしまう。
【００１１】
そこで、トレイの十分な引出ストロークを確保するために、例えば、ラックの長さを長くすると共にラックの長さに合わせてトレイの前後方向における長さを長くすることが考慮される。
【００１２】
しかしながら、ラック及びトレイの前後方向における長さを長くすると、その分、ディスク駆動装置の奥行き寸法が大きくなってしまい、小型化を阻害すると言う問題が生じる。
【００１３】
そこで、本発明ディスク駆動装置及び電子機器は、上記した問題点を克服し、小型化を確保した上でトレイの引出ストロークを増加させることを課題とする。
【課題を解決するための手段】
【００１４】
ディスク駆動装置は、上記した課題を解決するために、ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有するディスク駆動ユニットと、所定の位置に固定されたベースシャーシと、前記ベースシャーシに対して引き出される引出方向及び該引出方向の反対方向である収納方向へ移動可能とされ引出位置から収納位置までの間で移動されるトレイと、前記ベースシャーシに取り付けられたガイドと、前記トレイに設けられ該トレイの前記引出方向及び前記収納方向への移動時に前記ガイドに案内されるレールと、前記トレイに配置されたトレイ移動用モーターと、前記トレイ移動用モーターの駆動力によって回転されるピニオンギヤと、前記ベースシャーシに固定され前記ピニオンギヤが噛合される主ラックと、前記主ラックに移動自在に支持されると共に前記主ラックに延長され前記ピニオンギヤの噛合が可能な延長位置と前記主ラックに対して引き込まれ前記ピニオンギヤの噛合が行われない引込位置との間で移動する延長ラックとを設けたものである。
【００１５】
従って、ディスク駆動装置にあっては、延長ラックが主ラックに延長される分のトレイのシャーシに対する移動ストロークが増加する。
【００１６】
上記したディスク駆動装置にあっては、前記延長ラックが前記主ラックの前記引出方向側の端部に回動自在に支持され、前記ピニオンギヤの主ラックとの噛合が解除されたときに、前記トレイの引出方向への移動に伴って移動される前記ピニオンギヤによって前記延長ラックが前記引込位置から前記延長位置に回動されるようにすることが望ましい。
【００１７】
ピニオンギヤによって延長ラックが引込位置から延長位置に回動されるようにすることにより、トレイの移動に伴い延長ラックが回動される。
【００１８】
上記したディスク駆動装置にあっては、前記主ラックに前記延長ラックを前記延長位置に保持するストッパー部を設けることが望ましい。
【００１９】
主ラックに延長ラックを延長位置に保持するストッパー部を設けることにより、延長ラックがストッパー部によって延長位置に保持される。
【００２０】
上記したディスク駆動装置にあっては、前記延長ラックを前記引出方向へ付勢する付勢バネを設け、前記延長ラックが前記付勢バネによって付勢された状態で前記主ラックに前記トレイの移動方向と同じ方向へ移動自在に支持され、前記トレイが前記収納位置から前記引出位置へ向けて移動されたときに前記延長ラックが前記付勢バネの付勢力によって前記引込位置から前記延長位置に移動されるようにすることが望ましい。
【００２１】
延長ラックが付勢バネの付勢力によって引込位置から延長位置に移動されるようにすることにより、トレイの引出方向への移動に伴い延長ラックが延長位置に移動される。
【００２２】
上記したディスク駆動装置にあっては、前記主ラックと前記延長ラックをそれぞれ略板状に形成し、前記延長ラックと前記主ラックが厚み方向において重ねられるようにすることが望ましい。
【００２３】
延長ラックと主ラックが厚み方向において重ねられるようにすることにより、延長ラックが主ラックに重ねられた状態で移動自在に支持される。
【００２４】
電子機器は、上記した課題を解決するために、ディスク状記録媒体に対して情報信号の記録若しくは再生又はこれらの双方を行うディスク駆動装置と、前記ディスク駆動装置が配置された機器本体とを備え、前記ディスク駆動装置は、ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有するディスク駆動ユニットと、所定の位置に固定されたベースシャーシと、前記ベースシャーシに対して引き出される引出方向及び該引出方向の反対方向である収納方向へ移動可能とされ引出位置から収納位置までの間で移動されるトレイと、前記ベースシャーシに取り付けられたガイドと、前記トレイに設けられ該トレイの前記引出方向及び前記収納方向への移動時に前記ガイドに案内されるレールと、前記トレイに配置されたトレイ移動用モーターと、前記トレイ移動用モーターの駆動力によって回転されるピニオンギヤと、前記ベースシャーシに固定され前記ピニオンギヤが噛合される主ラックと、前記主ラックに移動自在に支持されると共に前記主ラックに延長され前記ピニオンギヤの噛合が可能な延長位置と前記主ラックに対して引き込まれ前記ピニオンギヤの噛合が行われない引込位置との間で移動する延長ラックとを設けたものである。
【００２５】
従って、電子機器にあっては、延長ラックが主ラックに延長される分のトレイのシャーシに対する移動ストロークが増加する。
【発明の効果】
【００２６】
本発明ディスク駆動装置は、ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有するディスク駆動ユニットと、所定の位置に固定されたベースシャーシと、前記ベースシャーシに対して引き出される引出方向及び該引出方向の反対方向である収納方向へ移動可能とされ引出位置から収納位置までの間で移動されるトレイと、前記ベースシャーシに取り付けられたガイドと、前記トレイに設けられ該トレイの前記引出方向及び前記収納方向への移動時に前記ガイドに案内されるレールと、前記トレイに配置されたトレイ移動用モーターと、前記トレイ移動用モーターの駆動力によって回転されるピニオンギヤと、前記ベースシャーシに固定され前記ピニオンギヤが噛合される主ラックと、前記主ラックに移動自在に支持されると共に前記主ラックに延長され前記ピニオンギヤの噛合が可能な延長位置と前記主ラックに対して引き込まれ前記ピニオンギヤの噛合が行われない引込位置との間で移動する延長ラックとを備えている。
【００２７】
従って、延長ラック必要なときにのみ延長位置まで回動され、ピニオンギヤが延長ラックと噛合される分、小型化を確保した上でトレイの引出ストロークを増加させることができる。
【００２８】
請求項２に記載した発明にあっては、前記延長ラックが前記主ラックの前記引出方向側の端部に回動自在に支持され、前記ピニオンギヤの主ラックとの噛合が解除されたときに、前記トレイの引出方向への移動に伴って移動される前記ピニオンギヤによって前記延長ラックが前記引込位置から前記延長位置に回動されるようにしている。
【００２９】
従って、トレイの移動に伴い確実に延長ラックが回動され、トレイの引出動作の信頼性の向上を図ることができる。
【００３０】
請求項３に記載した発明にあっては、前記主ラックに前記延長ラックを前記延長位置に保持するストッパー部を設けたので、延長ラックが必要以上に回動されることがなく、ピニオンギヤの延長ラックに対する適正な噛合状態を保持することができ、トレイを引出位置に確実に移動させることができる。
【００３１】
請求項４に記載した発明にあっては、前記延長ラックを前記引出方向へ付勢する付勢バネを設け、前記延長ラックが前記付勢バネによって付勢された状態で前記主ラックに前記トレイの移動方向と同じ方向へ移動自在に支持され、前記トレイが前記収納位置から前記引出位置へ向けて移動されたときに前記延長ラックが前記付勢バネの付勢力によって前記引込位置から前記延長位置に移動されるようにしている。
【００３２】
従って、トレイの移動に伴い確実に延長ラックが移動され、トレイの引出動作の信頼性の向上を図ることができる。
【００３３】
請求項５に記載した発明にあっては、前記主ラックと前記延長ラックをそれぞれ略板状に形成し、前記延長ラックと前記主ラックが厚み方向において重ねられるようにしたので、薄型化を図ることができる。
【００３４】
本発明電子機器は、ディスク状記録媒体に対して情報信号の記録若しくは再生又はこれらの双方を行うディスク駆動装置と、前記ディスク駆動装置が配置された機器本体とを備え、前記ディスク駆動装置は、ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有するディスク駆動ユニットと、所定の位置に固定されたベースシャーシと、前記ベースシャーシに対して引き出される引出方向及び該引出方向の反対方向である収納方向へ移動可能とされ引出位置から収納位置までの間で移動されるトレイと、前記ベースシャーシに取り付けられたガイドと、前記トレイに設けられ該トレイの前記引出方向及び前記収納方向への移動時に前記ガイドに案内されるレールと、前記トレイに配置されたトレイ移動用モーターと、前記トレイ移動用モーターの駆動力によって回転されるピニオンギヤと、前記ベースシャーシに固定され前記ピニオンギヤが噛合される主ラックと、前記主ラックに移動自在に支持されると共に前記主ラックに延長され前記ピニオンギヤの噛合が可能な延長位置と前記主ラックに対して引き込まれ前記ピニオンギヤの噛合が行われない引込位置との間で移動する延長ラックとを備えている。
【００３５】
従って、延長ラック必要なときにのみ延長位置まで回動され、ピニオンギヤが延長ラックと噛合される分、小型化を確保した上でトレイの引出ストロークを増加させることができる。
【発明を実施するための最良の形態】
【００３６】
以下に、本発明ディスク駆動装置及び電子機器の最良の形態を添付図面に従って説明する。以下に示した最良の形態は、本発明電子機器をパーソナルコンピューターに適用し、本発明ディスク駆動装置をこのパーソナルコンピューターに備えられたディスク駆動装置に適用したものである。
【００３７】
尚、本発明電子機器及びディスク駆動装置の適用範囲は、パーソナルコンピューター及びこれに備えられたディスク駆動装置に限られることはない。本発明電子機器は、ディスク状記録媒体を扱う各種の電子機器、例えば、ゲーム機器、ＰＤＡ（Personal Digital Assistant）等の情報端末装置、スチルカメラや電子カメラやビデオカメラ等の撮像装置、各種のディスク状記録媒体を扱う記録用の機器や音響機器等に広く適用することができる。また、本発明ディスク駆動装置は、これらの各種の電子機器において扱われるディスク状記録媒体について情報信号の記録若しくは再生又はこれらの双方を行うディスク駆動装置に広く適用することができる。
【００３８】
電子機器（パーソナルコンピューター）１は、例えば、機器本体２と該機器本体２に回動自在に支持されたディスプレイ装置３とを備え、機器本体２に所要の操作キーが配置されたキーボード４が設けられている（図１及び図２参照）。尚、電子機器１は、例えば、機器本体とディスプレイ装置が別体で設けられた所謂デスクトップ型の機器であってもよい。
【００３９】
以下に、第１の最良の形態に係るディスク駆動装置５について説明する（図３乃至図１１参照）。
【００４０】
機器本体２にはディスク駆動装置５が内蔵されている。ディスク駆動装置５は後述するトレイが機器本体２に対して引出可能及び収納可能とされている。
【００４１】
尚、以下のディスク駆動装置５の説明においては、説明の便宜上、トレイの機器本体２に対する引出方向を前方とし、トレイの機器本体２に対する収納方向を後方とし、上下前後左右の向きを規定する。即ち、図１及び図２に示すＦ方向が前方となり、Ｒ方向が後方となる。
【００４２】
ディスク駆動装置５は扁平な略矩形状に形成され、ベースシャーシ６と該ベースシャーシ６に前後方向へ移動自在に支持されたトレイ７とを有している（図３及び図４参照）。
【００４３】
ベースシャーシ６は上下方向を向く底面部８と該底面部８の左右両側部からそれぞれ上方へ突出された側面部９、９と底面部８の後端部から上方へ突出された後面部１０とを有している。
【００４４】
側面部９は底面部８に連続し左右方向を向く立壁部９ａと該立壁部９ａの上縁から側方（内方）へ突出され上下方向を向く取付壁部９ｂ、９ｂ、９ｂとから成る。取付壁部９ｂ、９ｂ、９ｂは前後方向に離隔して設けられている。
【００４５】
底面部８の左右両端部にはそれぞれ前後に延びるガイド１１、１１が固定されている。ガイド１１、１１はそれぞれ側面部９、９の内面に沿って位置されている。
【００４６】
一方のガイド１１、例えば、右側に位置するガイド１１には、その前端寄りの位置における下端部に左方へ突出されたロック部１２が設けられている（図５参照）。ロック部１２には左方に開口された係合凹部１２ａが形成されている。ロック部１２における係合凹部１２ａの前側の部分は摺動突部１３として設けられ、該摺動突部１３には後方へ行くに従って左方へ変位する傾斜縁１３ａが形成されている。傾斜縁１３ａは係合凹部１２ａの前側に形成されている。
【００４７】
一方の側面部９、例えば、左側に位置する側面部９の取付壁部９ｂ、９ｂ、９ｂの上面には、前後方向に延びる主ラック１４が固定されている（図３及び図４参照）。主ラック１４は上下方向を向く略板状に形成され、下面にラック歯１４ａを有している。ラック歯１４ａは主ラック１４の前端から後端まで形成されている。
【００４８】
主ラック１４の前端部には前方へ突出されたストッパー部１４ｂが設けられている（図３及び図６参照）。
【００４９】
主ラック１４の前端部には延長ラック１５が左右方向に延びる軸を支点として回動自在に支持されている。主ラック１４と延長ラック１５によってラック体４０が構成される。
【００５０】
延長ラック１５は、主ラック１４に延長される延長位置と主ラック１４に対して引き込まれる引込位置との間で回動される。延長ラック１５には一方の面にラック歯１５ａが形成されている。
【００５１】
延長位置はラック歯１５ａが主ラック１４のラック歯１４ａに前後方向で連続する位置（図６参照）であり、引込位置はラック歯１５ａが主ラック１４のラック歯１４ａに対して直交する位置（図３参照）である。
【００５２】
延長ラック１５には被ストッパー部１５ｂが設けられている（図６参照）。延長ラック１５が延長位置に回動されたときには被ストッパー部１５ｂが主ラック１４のストッパー部１４ｂに係合され、延長ラック１５の回動が規制され、該延長ラック１５が延長位置に保持される。延長ラック１５は、例えば、自重によって引込位置に保持される。
【００５３】
トレイ７はベース体１６と該ベース体１６の前端に設けられた前面パネル１７とを有している（図３及び図４参照）。
【００５４】
ベース体１６は上下方向を向く扁平な形状に形成されている。
【００５５】
ベース体１６にはディスク駆動ユニット１８が略上下方向へ移動自在に支持されている。ディスク駆動ユニット１８は、ピックアップベース１８ａと該ピックアップベース１８ａに水平方向へ移動自在に支持された光ピックアップ１８ｂとピックアップベース１８ａに固定されたスピンドルモーター１８ｃと該スピンドルモーター１８ｃのモーター軸に固定されたディスクテーブル１８ｄとを有している。
【００５６】
ベース体１６の後端部における左端部にはトレイ駆動機構１９が配置されている。トレイ駆動機構１９はトレイ移動用モーター２０と該トレイ移動用モーター２０の駆動力によって回転される複数の減速ギヤを有するギヤ機構２１とを有し、該ギヤ機構２１の最終段のギヤとしてピニオンギヤ２１ａが用いられている。
【００５７】
ピニオンギヤ２１ａはベースシャーシ６に固定された主ラック１４のラック歯１４ａ及び延長ラック１５のラック歯１５ａに噛合可能とされる。従って、トレイ移動用モーター２０の駆動力によりピニオンギヤ２１ａが回転されると、トレイ移動用モーター２０の回転方向に応じてトレイ７が前方又は後方へベースシャーシ６に対して移動される。
【００５８】
ベース体１６の左右両側面には、それぞれレール２２、２２が前後方向へ移動自在に支持されている。レール２２、２２はそれぞれベースシャーシ６に固定されたガイド１１、１１に前後方向へ移動自在に支持されている。レール２２、２２にはそれぞれ前後に離隔して図示しない第１の被規制部と第２の被規制部が設けられている。また、ベース体１６とガイド１１、１１にはそれぞれ第１の被規制部と第２の被規制部に係合可能な図示しない規制部が設けられている。
【００５９】
ベース体１６の右端部における下面には被ロックバネ２３が取り付けられている（図５参照）。被ロックバネ２３はガイド１１のロック部１２に係合される被ロック部として設けられている。
【００６０】
被ロックバネ２３はベース体１６に取り付けられた被取付板部２４と該被取付板部２４の前端部の右側縁に連続して設けられた被ロック片２５とから成る。被ロック片２５には右方へ凸のＶ字状に形成された係合片部２５ａが設けられている。
【００６１】
ベース体１６の前端部における右端部には下方へ突出された軸状の作用部１６ａが設けられている。
【００６２】
前面パネル１７の右端部には前後に貫通された治具挿通孔１７ａが形成されている（図３及び図４参照）。
【００６３】
ベースシャーシ６の下面における前端部には回動レバー２６が回動自在に支持されている（図５参照）。回動レバーは２６は回動支点部２６ａを挟んで互いに反対側へ突出された押圧アーム部２６ｂと作用部２６ｃを有している。回動レバー２６は作用部２６ｃが前面パネル１７に形成された治具挿通孔１７ａの直ぐ後側に位置されている。
【００６４】
ベースシャーシ６の右端部には上方へ突出された回動規制ピン６ａが設けられている。
【００６５】
回動レバー２６は図示しない捩じりコイルバネによって押圧アーム部２６ｂが回動規制ピン６ａに前方から近付く方向へ付勢されている。従って、回動レバー２６は作用部２６ｃに力が付与されていない状態において、捩じりコイルバネの付勢力によって押圧アーム部２６ｂが回動規制ピン６ａに前方から接した状態とされている。
【００６６】
以下に、ディスク駆動装置５におけるトレイ７の移動動作について説明する（図５、図７乃至図１１参照）。
【００６７】
先ず、トレイ７が収納位置にある状態について説明する（図５及び図７参照）。
【００６８】
トレイ７が収納位置にある状態においては、図５に示すように、ガイド１１におけるロック部１２の係合凹部１２ａに被ロックバネ２３における被ロック片２５の係合片部２５ａが係合され、トレイ７が収納位置にロックされている。
【００６９】
延長ラック１５は引込位置にあり、主ラック１４に対して９０°屈曲された状態とされている（図７参照）。延長ラック１５は収納位置にあるトレイ７の前面パネル１７によって前方から押さえられ、引込位置に保持されている。
【００７０】
トレイ駆動機構１９のピニオンギヤ２１ａは主ラック１４におけるラック歯１４ａの後端部に噛合されている（図８参照）。
【００７１】
回動レバー２６は捩じりコイルバネの付勢力によって押圧アーム部２６ｂが回動規制ピン６ａに前方から接した状態とされている。
【００７２】
上記のように、トレイ７が収納位置にある状態において、トレイ移動用モーター２０が、例えば、使用者による図示しないイジェクト釦に対する操作により一方向へ回転されると、ピニオンギヤ２１ａがラック歯１４ａ上を前方へ転動されていき、トレイ７が収納位置から引出位置へ向けて前方へ移動されていく。
【００７３】
このときトレイ７の左右両側面に支持されたレール２２、２２がそれぞれガイド１１、１１に案内される。トレイ７の前方への移動時には、レール２２、２２がそれぞれガイド１１、１１及びトレイ７に対してスライドされる。
【００７４】
このとき回動レバー２６は捩じりコイルバネの付勢力によって押圧アーム部２６ｂが回動規制ピン６ａに前方から接した状態とされており、トレイ７のベース体１６に設けられた作用部１６ａから退避された位置にある。従って、トレイ７が前方へ移動されたときに、回動レバー２６は作用部１６ａに接触しない。
【００７５】
トレイ７が収納位置から前方へ移動されるときには、被ロックバネ２３の係合片部２５ａがガイド１１のロック部１２に摺動されて弾性変形され、係合片部２５ａが摺動突部１３の後端を乗り越えることにより弾性復帰されてトレイ７の収納位置におけるロックが解除される。
【００７６】
トレイ７が引出位置へ向けて前方へ移動されていくときには、ピニオンギヤ２１ａが主ラック１４のラック歯１４ａを前方へ向けて転動されていく。トレイ７が前方へ移動されると、前面パネル１７が引込位置にある延長ラック１５から前方へ離隔され、延長ラック１５は回動可能な状態とされる。
【００７７】
トレイ７は前方へ移動され、ピニオンギヤ２１ａが主ラック１４におけるラック歯１４ａの前端部に噛合される（図９参照）。このときトレイ７は後端部を除く部分がベースシャーシ６から前方へ突出されている。
【００７８】
ピニオンギヤ２１ａが引き続き回転されトレイ７は引き続き前方へ移動され、ピニオンギヤ２１ａは主ラック１４のラック歯１４ａとの噛合が解除される。ピニオンギヤ２１ａはラック歯１４ａとの噛合の解除に引き続き、引込位置にある延長ラック１５を上方側へ押し上げてラック歯１５ａと噛合される（図１０参照）。ピニオンギヤ２１ａによって上方側へ押し上げられて回動された延長ラック１５は、被ストッパー部１５ｂが主ラック１４のストッパー部１４ｂに接し、上方側への回動が規制され、延長位置に保持される。
【００７９】
このように延長ラック１５は被ストッパー部１５ｂが主ラック１４のストッパー部１４ｂに接して延長位置に保持されるため、延長ラック１５が必要以上に上方側へ回動されることがなく、ピニオンギヤ２１ａのラック歯１５ａに対する適正な噛合状態を保持することができ、トレイ７を引出位置に確実に移動させることができる。
【００８０】
トレイ７は全体がベースシャーシ６から前方へ移動される（図１１参照）。このときレール２２、２２は、第１の被規制部がベース体１６の規制部に係合され、第２の被規制部がガイド１１、１１の規制部に係合され、トレイ７の前方への移動が規制されて停止され、該トレイ７が引出位置に至る。トレイ７の前方への移動が停止されると、トレイ移動用モーター２０の回転が停止される。このときピニオンギヤ２１ａは延長ラック１５のラック歯１５ａに噛合されている。
【００８１】
トレイ７が引出位置まで移動された状態においては、使用者は、ディスク駆動ユニット１８のディスクテーブル１８ｄに対するディスク状記録媒体１００の装着又はディスクテーブル１８ｄからのディスク状記録媒体１００の取外を行うことができる。
【００８２】
トレイ７の引出位置から収納位置へ向けての移動は、上記とは逆の動作により以下のようにして行われる。
【００８３】
トレイ７が引出位置にある状態（図１１参照）において、トレイ移動用モーター２０が、例えば、使用者による図示しないローディング釦に対する操作により上記とは逆方向へ回転されると、ピニオンギヤ２１ａが延長ラック１５のラック歯１５ａから主ラック１４のラック歯１４ａ上を連続して後方へ転動されていき、トレイ７が引出位置から収納位置へ向けて後方へ移動されていく。
【００８４】
このときトレイ７の左右両側面に支持されたレール２２、２２がそれぞれガイド１１、１１に案内される。トレイ７の後方への移動時には、レール２２、２２がそれぞれガイド１１、１１及びトレイ７に対してスライドされる。
【００８５】
トレイ７の後方への移動時にも前方への移動時と同様に、回動レバー２６が捩じりコイルバネの付勢力によって押圧アーム部２６ｂが回動規制ピン６ａに前方から接した状態とされており、回動レバー２６は作用部１６ａに接触しない。
【００８６】
トレイ７が収納位置へ向けて後方へ移動されていくと、被ロックバネ２３の係合片部２５ａがガイド１１の摺動突部１３に摺動されて弾性変形され、該摺動突部１３の後端を乗り越えることにより弾性復帰されて係合片部２５ａが係合凹部１２ａに係合され、トレイ７が収納位置においてロックされる（図５参照）。
【００８７】
トレイ７が収納位置に至った状態においては、ピニオンギヤ２１ａのラック歯１５ａとの噛合が解除されている。従って、延長ラック１５は自重により回動されて引込位置にあり、該延長ラック１５は前面パネル１７によって前方から押さえられて引込位置に保持される（図７参照）。
【００８８】
トレイ７が引込位置に至り後方への移動が停止されると、トレイ移動用モーター２０の回転が停止される。このときピニオンギヤ２１ａは主ラック１４におけるラック歯１４ａの前端部に噛合されている（図８参照）。
【００８９】
次に、収納位置からトレイ７が前方へ移動されない場合に、トレイ７を強制的に前方へ移動させる所謂強制排出動作について説明する（図１２参照）。トレイ７が前方へ移動されない場合は、例えば、電流供給回路の不良等によりトレイ移動用モーター２０への電流の供給が行われなくなった場合やトレイ移動用モーター２０が故障した場合等である。
【００９０】
使用者は、例えば、径の細いピン等のトレイ移動用治具２００を前面パネル１７の治具挿通孔１７ａに前側から挿入する。トレイ移動用治具を治具挿通孔１７ａに挿入すると、トレイ移動用治具２００によって回動レバー２６の作用部２６ｃが後方へ押圧され、回動レバー２６が回動されて押圧アーム部２６ｂによってトレイ７のベース体１６に設けられた作用部１６ａが前方へ押圧される。
【００９１】
作用部１６ａが前方へ押圧されることにより、トレイ７に前方への移動力が付与され、ガイド１１のロック部１２と被ロックバネ２３の被ロック片２５との係合が解除されてトレイ７の収納位置におけるロックが解除され、該トレイ７が前方へ移動される。
【００９２】
ロックが解除されて前方へ移動されたトレイ７を把持して引き出すことにより、トレイ７を引出位置まで移動させることができる。
【００９３】
以上に記載した通り、ディスク駆動装置５にあっては、主ラック１４に延長されピニオンギヤ２１ａの噛合が可能な延長位置と主ラック１４に対して引き込まれピニオンギヤ２１ａの噛合が行われない引込位置との間で回動される延長ラック１５を設けている。
【００９４】
このように延長ラック１５が延長位置と引込位置との間で回動され必要なときにのみ延長位置まで回動されるため、ディスク駆動装置５の奥行き寸法が大きくならない。また、ピニオンギヤ２１ａが延長ラック１５のラック歯１５ａと噛合される分、トレイ７の引出方向への移動量を大きくすることができる。
【００９５】
従って、ディスク駆動装置５にあっては、小型化を確保した上でトレイ７の引出ストロークを増加させることができる。
【００９６】
また、延長ラック１５が主ラック１４の引出方向側の端部に回動自在に支持され、ピニオンギヤ２１ａに押し上げられて延長ラック１５が引込位置から延長位置へ回動されるため、トレイ７の移動に伴い確実に延長ラック１５が回動され、トレイ７の引出動作の信頼性の向上を図ることができる。
【００９７】
ディスク駆動装置５にあっては、トレイ７を収納位置にロックするロック部１２と、トレイ移動用モーター２０の駆動力によるトレイ７の収納方向へ向けての移動に伴って移動されロック部１２に係合される被ロック部として機能する被ロックバネ２３とが設けられている。
【００９８】
従って、トレイ移動用モーター２０の駆動力によるトレイ７の収納方向へ向けての移動に伴ってトレイ７が収納位置にロックされるため、トレイ７の移動とロックを行うために各別のモーターを設ける必要がなく、ロックに関する機構の簡素化及び動作時間の短縮化を図ることができる。
【００９９】
また、ロック部１２をガイド１１に設けロック部１２に係合凹部１２ａを形成し、トレイ７が収納位置へ向けて移動されたときに被ロック片２５がロック部１２に摺接して弾性変形されて係合凹部１２ａに係合されトレイ７がロックされるため、ロック機構の構造及び動作の簡素化を図ることができる。
【０１００】
さらに、ベースシャーシ６にトレイ７を収納位置から引出位置へ移動させるための回動レバー２６を回転自在に支持し、トレイ７に回動レバー２６によって引出方向への押圧力が付与される作用部１６ａを設けている。従って、トレイ移動用治具２００によって回動レバー２６を回動させるだけでトレイ７の強制排出を行うことができ、簡単な操作によりトレイ７を強制的に引出方向へ移動させることができる。
【０１０１】
次に、第２の最良の形態に係るディスク駆動装置５Ａについて説明する（図１３乃至図２３参照）。
【０１０２】
機器本体２にはディスク駆動装置５Ａが内蔵されている。ディスク駆動装置５Ａは後述するトレイが機器本体２に対して引出可能及び収納可能とされている。
【０１０３】
尚、以下のディスク駆動装置５Ａの説明においては、説明の便宜上、トレイの機器本体２に対する引出方向を前方とし、トレイの機器本体２に対する収納方向を後方とし、上下前後左右の向きを規定する。
【０１０４】
ディスク駆動装置５Ａは扁平な略矩形状に形成され、ベースシャーシ５０と該ベースシャーシ５０に前後方向へ移動自在に支持されたトレイ５１とを有している（図１３及び図１４参照）。
【０１０５】
ベースシャーシ５０は上下方向を向く底面部５２と該底面部５２の左右両側部からそれぞれ上方へ突出された側面部５３、５３と底面部５２の後端部から上方へ突出された後面部５４とを有している。
【０１０６】
側面部５３は底面部５２に連続し左右方向を向く立壁部５３ａと該立壁部５３ａの上縁から側方（内方）へ突出され上下方向を向く取付壁部５３ｂ、５３ｂ、５３ｂとから成る。取付壁部５３ｂ、５３ｂ、５３ｂは前後方向に離隔して設けられている。
【０１０７】
後面部５４の上縁における左端部には、前方へ突出された支持片部５４ａが設けられている。
【０１０８】
支持片部５４ａにはロック部として機能するロックレバー５５が水平方向において回動自在に支持されている。ロックレバー５５は、支持片部５４ａに支持された被支持部５６と、該被支持部５６から略前方へ突出された係止用突部５７と、被支持部５６から左方へ突出された連結部５８と、該連結部５８の後縁から下方へ突出された被押圧部５９とから成る。
【０１０９】
係止用突部５７は右方へ行くに従って後方へ変位する傾斜縁５７ａと該傾斜縁５７ａの右端に連続し略左右に延びる係止縁５７ｂとを有している。
【０１１０】
ロックレバー５５の被支持部５６とベースシャーシ５０の後面部５４との間にはバネ部材６０が支持されている。従って、ロックレバー５５はバネ部材６０によって係止用突部５７が略右方へ回動する方向への付勢力が付与されている。
【０１１１】
底面部５２の左右両端部にはそれぞれ前後に延びるガイド６１、６１が固定されている。ガイド６１、６１はそれぞれ側面部５３、５３の内面に沿って位置されている。
【０１１２】
一方の側面部５３、例えば、左側に位置する側面部５３の取付壁部５３ｂ、５３ｂ、５３ｂの上面には、前後方向に延びる主ラック６２が固定されている。主ラック６２は上下方向を向き、下面にラック歯６２ａを有している。
【０１１３】
主ラック６２には、図１５に示すように、前端部に前方及び右方に開口された前側切欠６２ｂが形成され、後端部に後方及び右方に開口された後側切欠６２ｃが形成されている。主ラック６２は、前側切欠６２ｂ及び後側切欠６２ｃが形成されていない左側の略半部が外側部６３として設けられ、前側切欠６２ｂ及び後側切欠６２ｃが形成されている右側の略半部が内側部６４として設けられている。従って、外側部６３の前後方向における長さは内側部６４の前後方向における長さより長くされている。
【０１１４】
ラック歯６２ａは外側部６３の前端部と後端部を除いた部分に形成されている。
【０１１５】
主ラック６２の内側部６４には前後に離隔して、前側から順に第１のストッパー突部６４ａ、６４ａ、第２の前側ストッパー突部６４ｂ及び第２の後側ストッパー突部６４ｃが上方へ突出した状態で設けられている。
【０１１６】
主ラック６２の内側部６４には、それぞれ略板状に形成された第１の補助ラック６５と第２の補助ラック６６がそれぞれ前後方向へスライド自在に支持されている。主ラック６２と第１の補助ラック６５と第２の補助ラック６６によってラック体８０が構成される。
【０１１７】
第１の補助ラック６５は前後に離隔し前後に延びる被支持孔６５ａ、６５ａを有し、該被支持孔６５ａ、６５ａにそれぞれ第１のストッパー突部６４ａ、６４ａが挿入されて主ラック６２の内側部６４に支持されている。第１の補助ラック６５は上下方向を向き、下面における前側に位置する被支持孔６５ａの前側の部分にラック歯６５ｂを有している。
【０１１８】
第１の補助ラック６５と主ラック６２との間には第１の付勢バネ６７が支持され、第１の補助ラック６５が前方へ付勢されている。
【０１１９】
第１の補助ラック６５は、主ラック６２に延長される延長位置と主ラック６２に対して引き込まれる引込位置との間で移動される。延長位置は移動方向における前端の位置であり、引込位置は移動方向における後端の位置である。
【０１２０】
第２の補助ラック６６は前後に延びる被支持孔６６ａを有し、該被支持孔６６ａに第２の前側ストッパー突部６４ｂ及び第２の後側ストッパー突部６４ｃが挿入されて主ラック６２の内側部６４に支持されている。第２の補助ラック６６は上下方向を向き、下面における被支持孔６６ａの後側の部分にラック歯６６ｂを有している。第２の補助ラック６６の後端部は押圧部６６ｃとして設けられている。
【０１２１】
第２の補助ラック６６と主ラック６２との間には第２の付勢バネ６８が支持され、第２の補助ラック６６が前方へ付勢されている。
【０１２２】
トレイ５１はベース体６９と該ベース体６９の前端に設けられた前面パネル７０とを有している（図１３及び図１４参照）。
【０１２３】
ベース体６９は上下方向を向く扁平な形状に形成されている。
【０１２４】
ベース体６９にはディスク駆動ユニット７１が略上下方向へ移動自在に支持されている。ディスク駆動ユニット７１は、ピックアップベース７１ａと該ピックアップベース７１ａに水平方向へ移動自在に支持された光ピックアップ７１ｂとピックアップベース７１ａに固定されたスピンドルモーター７１ｃと該スピンドルモーター７１ｃのモーター軸に固定されたディスクテーブル７１ｄとを有している。
【０１２５】
ベース体６９の後端部における左端部にはトレイ駆動機構７２が配置されている。トレイ駆動機構７２はトレイ移動用モーター７３と該トレイ移動用モーター７３の駆動力によって回転される複数の減速ギヤを有するギヤ機構７４とを有し、該ギヤ機構７４の最終段のギヤとしてピニオンギヤ７４ａが用いられている。
【０１２６】
ピニオンギヤ７４ａはベースシャーシ５０に固定された主ラック６２のラック歯６２ａ、第１の補助ラック６５のラック歯６５ｂ及び第２の補助ラック６６のラック歯６６ｂに噛合可能とされている。従って、トレイ移動用モーター７３の駆動力によりピニオンギヤ７４ａが回転されると、トレイ移動用モーター７３の回転方向に応じてトレイ５１が前方又は後方へベースシャーシ５０に対して移動される。ピニオンギヤ７４ａは左右方向に長く形成されており、主ラック６２のラック歯６２ｂのうち外側部６３に形成された部分にも噛合する長さとされている。
【０１２７】
ベース体６９の左右両側面には、それぞれレール７５、７５が前後方向へ移動自在に支持されている。レール７５、７５はそれぞれベースシャーシ５０に固定されたガイド６１、６１に前後方向へ移動自在に支持されている。レール７５、７５にはそれぞれ前後に離隔して図示しない第１の被規制部と第２の被規制部が設けられている。また、ベース体６９とガイド６１、６１にはそれぞれ第１の被規制部と第２の被規制部に係合可能な図示しない規制部が設けられている。
【０１２８】
ベース体６９の後端寄りの位置には上方へ突出された軸状の被ロック部６９ａが設けられている。
【０１２９】
前面パネル７０の左端部には前後に貫通された治具挿通孔７０ａが形成されている。
【０１３０】
以下に、ディスク駆動装置５Ａにおけるトレイ５１の移動動作について説明する（図１６乃至図２３参照）。
【０１３１】
先ず、トレイ５１が収納位置にある状態について説明する。
【０１３２】
トレイ５１が収納位置にある状態においては、図１６に示すように、ロックレバー５５における係止用突部５７の係止縁５７ｂにトレイ７のベース体６９に設けられた被ロック部６９ａが係合され、トレイ５１が収納位置にロックされている。
【０１３３】
第１の補助ラック６５は引込位置にあり、前端が収納位置にあるトレイ７における前面パネル７０の後面に第１の付勢バネ６７によって前方へ付勢された状態で接している。
【０１３４】
第２の補助ラック６６は被支持孔６６ａの後側開口縁が第２の後側ストッパー突部６４ｃに接し、前側の移動端に保持されている。このとき第２の補助ラック６６は前端が第１の補助ラック６５の後端に当接又は近接した状態とされ、押圧部６６ｃがロックレバー５５の被押圧部５９に前方から当接又は近接した状態とされている。
【０１３５】
トレイ駆動機構７２のピニオンギヤ７４ａは第２の補助ラック６６のラック歯６６ｂに噛合されている。
【０１３６】
上記のように、トレイ５１が収納位置にある状態において、トレイ移動用モーター７３が、例えば、使用者による図示しないイジェクト釦に対する操作により一方向へ回転される。このときピニオンギヤ７４ａは第２の補助ラック６６のラック歯６６ｂに噛合されているが、第２の補助ラック６６が前側の移動端に保持されているため、ピニオンギヤ７４ａの回転に伴ってトレイ５１は前方へ移動されず、第２の補助ラック６６がピニオンギヤ７４ａの回転によって後方へ移動される（図１７参照）。第２の補助ラック６６が後方へ移動されることにより、押圧部６６ｃによってロックレバー５５の被押圧部５９が後方へ押圧され、ロックレバー５５がバネ部材６０の付勢力に抗して回動され係止用突部５７の係止縁５７ｂとトレイ５１に設けられた被ロック部６９ａとの係合が解除される。従って、ロックレバー５５によるトレイ５１に対するロックが解除される。
【０１３７】
後方へ移動された第２の補助ラック６６は被支持孔６６ａの前側開口縁が主ラック６２の第２の前側ストッパー突部６４ｂに接し、後側の移動端で停止される。第２の補助ラック６６が後側の移動端で停止された状態においては、第２の補助ラック６６のラック歯６６ｂの前端部と主ラック６２のラック歯６２ａの後端部とが左右方向において重ねられた状態とされる。
【０１３８】
ピニオンギヤ７４ａは引き続きトレイ移動用モーター７３の駆動力によって同じ方向へ回転される。このとき第２の補助ラック６６が後側の移動端まで移動されると共にロックレバー５５によるトレイ５１に対するロックが解除されているため、ピニオンギヤ７４ａが第２の補助ラック６６のラック歯６６ｂ上を前方へ転動されていき、トレイ５１が収納位置から引出位置へ向けて前方へ移動されていく（図１８参照）。
【０１３９】
このときトレイ５１の左右両側面に支持されたレール７５、７５がそれぞれガイド６１、６１に案内される。トレイ５１の前方への移動時には、レール７５、７５がそれぞれガイド６１、６１及びトレイ５１に対してスライドされる。
【０１４０】
トレイ５１の前方への移動により、ピニオンギヤ７４ａは第２の補助ラック６６のラック歯６６ｂから主ラック６２のラック歯６２ａに連続して噛合され該ラック歯６２ａ上を前方へ転動されていく（図１９参照）。
【０１４１】
ピニオンギヤ７４ａとの噛合が解除された第２の補助ラック６６は、第２の付勢バネ６８の付勢力によって前方へ移動され、被支持孔６６ａの後側開口縁が第２の後側ストッパー突部６４ｃに接して前側の移動端に保持される。
【０１４２】
ロックレバー５５は第２の補助ラック６６が前方へ移動されるため、バネ部材６０の付勢力によって被押圧部５９が略前方へ移動される方向へ回動され所定の位置に保持される。
【０１４３】
トレイ５１が前方へ移動されると、前面パネル７０の前方への移動により第１の補助ラック６５が第１の付勢バネ６７の付勢力によって前方へ移動され、被支持孔６５ａ、６５ａの後側開口縁がそれぞれ第１のストッパー突部６４ａ、６４ａに接して延長位置に保持される。第１の補助ラック６５が延長位置に保持された状態においては、第１の補助ラック６５のラック歯６５ｂの後端部と主ラック６２のラック歯６２ａの前端部とが左右方向において重ねられた状態とされる。
【０１４４】
前面パネル７０は延長位置に保持された第１の補助ラック６５よりも前方へ移動されていき、トレイ５１は後端部を除く部分がベースシャーシ５０から前方へ突出される。
【０１４５】
引き続きトレイ５１は前方へ移動され、ピニオンギヤ７４ａは主ラック６２のラック歯６２ａから延長位置に保持されている第１の補助ラック６５のラック歯６５ｂに連続して噛合され該ラック歯６５ｂ上を前方へ転動されていく（図２０参照）。
【０１４６】
ピニオンギヤ７４ａが第１の補助ラック６５のラック歯６５ｂ上を前方へ転動されていくことにより、トレイ５１はさらに前方へ移動されて引出位置に至り、全体がベースシャーシ５０から前方へ移動される（図２１参照）。このときレール７５、７５は、第１の被規制部がベース体６９の規制部に係合され、第２の被規制部がガイド６１、６１の規制部に係合され、トレイ５１の前方への移動が規制されて停止され、トレイ５１が引出位置に至る。トレイ５１の前方への移動が停止されると、トレイ移動用モーター７３の回転が停止される。
【０１４７】
トレイ５１が引出位置まで移動された状態においては、使用者は、ディスク駆動ユニット７１のディスクテーブル７１ｄに対するディスク状記録媒体１００の装着又はディスクテーブル７１ｄからのディスク状記録媒体１００の取外を行うことができる。
【０１４８】
トレイ５１の引出位置から収納位置へ向けての移動は、上記とは逆の動作により以下のようにして行われる。
【０１４９】
トレイ５１が引出位置にある状態（図２１参照）において、トレイ移動用モーター７３が、例えば、使用者による図示しないローディング釦に対する操作により上記とは逆方向へ回転されると、ピニオンギヤ７４ａが第１の補助ラック６５のラック歯６５ｂから主ラック６２のラック歯６２ａを介して第２の補助ラック６６のラック歯６６ｂ上を連続して後方へ転動されていき、トレイ５１が引出位置から収納位置へ向けて後方へ移動されていく。
【０１５０】
このときトレイ５１の左右両側面に支持されたレール７５、７５がそれぞれガイド６１、６１に案内される。トレイ５１の後方への移動時には、レール７５、７５がそれぞれガイド６１、６１及びトレイ５１に対してスライドされる。
【０１５１】
トレイ５１の後方への移動時には、前面パネル７０によって第１の補助ラック６５が押圧され延長位置から引込位置へ向けて後方へ移動される。このとき第２の補助ラック６６は前側の移動端に位置されており、前後方向へ移動されない。
【０１５２】
トレイ５１の後方への移動に伴って被ロック部６９ａが後方へ移動され、該被ロック部６９ａがロックレバー５５における係止用突部５７の傾斜縁５７ａを相対的に右方へ摺動され、ロックレバー５５がバネ部材６０の付勢力に抗して回動される（図２２参照）。
【０１５３】
後方へ移動されている被ロック部６９ａがロックレバー５５の傾斜縁５７ａにおける右端に達すると、ロックレバー５５がバネ部材６０の付勢力によって回動され、係止縁５７ｂが被ロック部６９ａに係合される。係止縁５７ｂが被ロック部６９ａに係合されることにより、トレイ５１が収納位置にロックされる。
【０１５４】
後方へ移動された第１の補助ラック６５は前端がトレイ７における前面パネル７０の後面に接した状態で引込位置に保持される。
【０１５５】
トレイ５１が引込位置に至り後方への移動が停止されると、トレイ移動用モーター７３の回転が停止される。このときピニオンギヤ７４ａは第２の補助ラック６６におけるラック歯６６ｂに噛合されている。
【０１５６】
ロックレバー５５は被押圧部５９が第２の補助ラック６６の押圧部６６ｃに当接又は近接した状態とされる。第２の補助ラック６６は前端が第１の補助ラック６５の後端に当接又は近接した状態とされる。
【０１５７】
次に、収納位置からトレイ５１が前方へ移動されない場合に、トレイ５１を強制的に前方へ移動させる所謂強制排出動作について説明する（図２３参照）。トレイ５１が前方へ移動されない場合は、例えば、電流供給回路の不良等によりトレイ移動用モーター７３への電流の供給が行われなくなった場合やトレイ移動用モーター７３が故障した場合等である。
【０１５８】
使用者は、例えば、径の細いピン等のトレイ移動用治具２００を前面パネル７０の治具挿通孔７０ａに前側から挿入する。トレイ移動用治具２００を治具挿通孔７０ａに挿入すると、トレイ移動用治具２００によって第１の補助ラック６５の前端が後方へ押圧され、該第１の補助ラック６５が後方へ移動される。
【０１５９】
第１の補助ラック６５が後方へ移動されると、該第１の補助ラック６５によって第２の補助ラック６６が押圧されて後方へ移動され、押圧部６６ｃによってロックレバー５５の被押圧部５９が後方へ押圧される。押圧部６６ｃによって被押圧部５９が後方へ押圧されると、ロックレバー５５がバネ部材６０の付勢力に抗して回動され係止用突部５７の係止縁５７ｂとトレイ５１に設けられた被ロック部６９ａとの係合が解除される。従って、ロックレバー５５によるトレイ５１に対するロックが解除される。
【０１６０】
ロックレバー５５によるトレイ５１に対するロックが解除された状態において、使用者がトレイ移動用治具２００を治具挿通孔７０ａから引き抜く。トレイ移動用治具２００を治具挿通孔７０ａから引き抜くと、第２の補助ラック６６及び第１の補助ラック６５がそれぞれ第２の付勢バネ６８と第１の付勢バネ６７の付勢力によって前方へ移動される。このとき第１の補助ラック６５の前端によって前面パネル７０が前方へ押圧され、トレイ５１が前方へ移動される。
【０１６１】
ロックが解除されて前方へ移動されたトレイ５１を把持して引き出すことにより、トレイ５１を引出位置まで移動させることができる。
【０１６２】
以上に記載した通り、ディスク駆動装置５Ａにあっては、主ラック６２に延長されピニオンギヤ７４ａの噛合が可能な延長位置と主ラック６２に対して引き込まれピニオンギヤ７４ａの噛合が行われない引込位置との間で移動される延長ラックとして機能する第１の補助ラック６５を設けている。
【０１６３】
このように第１の補助ラック６５が延長位置と引込位置との間で移動され必要なときにのみ延長位置まで移動されるため、ディスク駆動装置５Ａの奥行き寸法が大きくならない。また、ピニオンギヤ７４ａが第１の補助ラック６５のラック歯６５ｂと噛合される分、トレイ５１の引出方向への移動量を大きくすることができる。
【０１６４】
従って、ディスク駆動装置５Ａにあっては、小型化を確保した上でトレイ５１の引出ストロークを増加させることができる。
【０１６５】
また、第１の補助ラック６５を引出方向へ付勢する第１の付勢バネ６７を設け、トレイ５１が収納位置から引出位置へ向けて移動されたときに第１の補助ラック６５が第１の付勢バネ６７の付勢力によって引込位置から延長位置に移動されるため、トレイ５１の移動に伴い確実に第１の補助ラック６５が移動され、トレイ５１の引出動作の信頼性の向上を図ることができる。
【０１６６】
さらに、ディスク駆動装置５Ａにあっては、主ラック６２、第１の補助ラック６５及び第２の補助ラック６６をそれぞれ略板状に形成し、主ラック６２上に第１の補助ラック６５及び第２の補助ラック６６が厚み方向において重ねられた状態で移動自在に支持されるようにしているため、薄型化を図ることができる。
【０１６７】
ディスク駆動装置５Ａにあっては、トレイ５１を収納位置にロックするロック部として機能するロックレバー５５と、トレイ移動用モーター７３の駆動力によるトレイ５１の収納方向へ向けての移動に伴って移動されロックレバー５５に係合される被ロック部６９ａとが設けられている。
【０１６８】
従って、トレイ移動用モーター７３の駆動力によるトレイ５１の収納方向へ向けての移動に伴ってトレイ５１が収納位置にロックされるため、トレイ５１の移動とロックを行うために各別のモーターを設ける必要がなく、ロックに関する機構の簡素化及び動作時間の短縮化を図ることができる。
【０１６９】
また、係止用突部５７を有しベースシャーシ５０に回動自在に支持されたロック部として機能するロックレバー５５と、該ロックレバー５５を回動方向における一方の方向へ付勢するバネ部材６０とを設け、被ロック部６９ａの傾斜縁５７ａとの摺接により係止縁５７ｂが被ロック部６９ａに係合してトレイ５１がロックされるようにしている。
【０１７０】
従って、ロック機構の構造及び動作の簡素化を図ることができる。
【０１７１】
さらに、ディスク駆動装置５Ａにあっては、ロックレバー５５の被押圧部５９を押圧する押圧部６６ｃを有する第２の補助ラック６６を設け、トレイ移動用モーター７３の駆動力によって第２の補助ラック６６を後方へ移動させて押圧部６６ｃによって被押圧部５９が押圧されてロックレバー５５によるトレイ５１のロックが解除されるようにしている。
【０１７２】
従って、トレイ移動用モーター７３の駆動力によるトレイ５１の移動に加えて該トレイ５１に対するロックの解除が行われるため、トレイ５１の移動と該トレイ５１に対するロックの解除を行うために各別のモーターを必要とせず、部品点数の削減及び機構の簡素化を図ることができる。
【０１７３】
さらにまた、ディスク駆動装置５Ａにあっては、主ラック６２にロックレバー５５によるトレイ５１に対するロックを解除するための第２の補助ラック６６を移動自在に支持し、ロックの解除時にトレイ５１に引出方向への押圧力を付与する第１の補助ラック６５を設けている。従って、トレイ移動用治具２００によって第１の補助ラック６５を押圧するだけでトレイ５１の強制排出を行うことができ、簡単な操作によりトレイ５１を強制的に引出方向へ移動させることができる。
【０１７４】
加えて、延長ラックとして機能する第１の補助ラック６５をトレイ５１の強制排出を行うための部材としても用いているため、部品点数の削減を図ることができる。
【０１７５】
尚、上記には、トレイ７、５１にそれぞれディスク駆動ユニット１８、７１が移動自在に支持されている例を示したが、例えば、ディスク駆動ユニット１８、７１がベースシャーシ６、５０にそれぞれ移動自在に支持されていてもよい。
【０１７６】
この場合には、トレイ７、５１とディスク駆動ユニット１８、７１がともに引き出されず、トレイ７、５１のみが引き出される。
【０１７７】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１７８】
【図１】図２乃至図２３と共に本発明を実施するための最良の形態を示すものであり、本図は電子機器の斜視図である。
【図２】トレイが引き出された状態を示す電子機器の斜視図である。
【図３】図４乃至図１２と共にともに本発明の第１の最良の形態を示すものであり、本図は、ディスク駆動装置の分解斜視図である。
【図４】ディスク駆動装置を示す斜視図である。
【図５】ガイドと被ロックバネと回動レバーをベースシャーシを省略した状態で示す拡大斜視図である。
【図６】主ラックの一部と延長ラックを示す拡大斜視図である。
【図７】延長ラックが引込位置に保持されている状態を示す拡大斜視図である。
【図８】図９乃至図１２と共にディスク駆動装置の動作を示すものであり、本図は、トレイが収納位置にある状態を示す概略平面図である。
【図９】トレイが引出位置へ向けて移動されている途中の状態を示す概略平面図である。
【図１０】トレイの移動時にピニオンギヤが延長ラックのラック歯に噛合されている状態を示す拡大斜視図である。
【図１１】トレイが引出位置まで移動された状態を示す概略平面図である。
【図１２】回動レバーが回動されトレイの強制排出が行われている状態を示す拡大底面図である。
【図１３】図１４乃至図２３と共にともに本発明の第２の最良の形態を示すものであり、本図は、ディスク駆動装置の分解斜視図である。
【図１４】ディスク駆動装置を示す斜視図である。
【図１５】ラック体を示す拡大分解斜視図である。
【図１６】図１７乃至図２３と共にディスク駆動装置の動作を示すものであり、本図は、トレイが収納位置にある状態を示す概略平面図である。
【図１７】第２の補助ラックが後方へ移動されロックが解除された状態を示す概略平面図である。
【図１８】トレイが引出位置へ向けて移動された直後の状態を示す概略平面図である。
【図１９】トレイが引出位置へ向けて移動されている途中の状態を示す概略平面図である。
【図２０】トレイの移動時にピニオンギヤが第１の補助ラックのラック歯に噛合されている状態を示す概略平面図である。
【図２１】トレイが引出位置まで移動された状態を示す概略平面図である。
【図２２】トレイが引出位置から収納位置へ向けて移動されたときに、ロックレバーが回動されてトレイに対するロックが行われる状態を示す概略平面図である。
【図２３】第１の補助ラック及び第２の補助ラックが移動されトレイの強制排出が行われている状態を示す概略平面図である。
【符号の説明】
【０１７９】
１…電子機器、２…機器本体、５…ディスク駆動装置、６…ベースシャーシ、７…トレイ、１１…ガイド、１４…主ラック、１４ｂ…ストッパー部、１５…延長ラック、１８…ディスク駆動ユニット、１８ａ…ピックアップベース、１８ｂ…光ピックアップ、１８ｃ…スピンドルモーター、１８ｄ…ディスクテーブル、２０…トレイ移動用モーター、２１ａ…ピニオンギヤ、２２…レール、５Ａ…ディスク駆動装置、５０…ベースシャーシ、５１…トレイ、６１…ガイド、６２…主ラック、６６…第２の補助ラック（延長ラック）、７１…ディスク駆動ユニット、７１ａ…ピックアップベース、７１ｂ…光ピックアップ、７１ｃ…スピンドルモーター、７１ｄ…ディスクテーブル、７３…トレイ移動用モーター、７４ａ…ピニオンギヤ、７５…レール、１００…ディスク状記録媒体
【図１】
2010020868.tif 000003
【図２】
2010020868.tif 000004
【図３】
2010020868.tif 000005
【図４】
2010020868.tif 000006
【図５】
2010020868.tif 000007
【図６】
2010020868.tif 000008
【図７】
2010020868.tif 000009
【図８】
2010020868.tif 000010
【図９】
2010020868.tif 000011
【図１０】
2010020868.tif 000012
【図１１】
2010020868.tif 000013
【図１２】
2010020868.tif 000014
【図１３】
2010020868.tif 000015
【図１４】
2010020868.tif 000016
【図１５】
2010020868.tif 000017
【図１６】
2010020868.tif 000018
【図１７】
2010020868.tif 000019
【図１８】
2010020868.tif 000020
【図１９】
2010020868.tif 000021
【図２０】
2010020868.tif 000022
【図２１】
2010020868.tif 000023
【図２２】
2010020868.tif 000024
【図２３】
2010020868.tif 000025